(57)【要約】  本発明の目的は、部品交換の作業性を向上させることができる乗客コンベアを提供することにある。無端状に連結された複数の踏板と、踏板の幅方向両側に設けられた欄干と、欄干上を移動する移動手摺と、踏板を駆動する一対の駆動スプロケット（３ａ），（３ｂ）とを備えた乗客コンベアにおいて、電動機軸受（１６）で軸支された電動機回転部（１５）を有する電動機ユニット（１１）と、ブレーキ軸受（１９）で軸支されたブレーキディスク（１７）を有するブレーキディスクユニット（１２）と、駆動スプロケット軸（１３）及び駆動スプロケット（３ａ），（３ｂ）をユニット化した駆動スプロケットユニット（１０）とを備え、電動機ユニット（１１）、ブレーキディスクユニット（１２）及び駆動スプロケットユニット（１０）を同心状に配置し、電動機ユニット（１１）とブレーキディスクユニット（１２）とを駆動スプロケットユニット（１０）により着脱可能に連結する。
2017033271.tif 000002
【特許請求の範囲】
【請求項１】
一方の乗降口と他方の乗降口との間を移動する無端状に連結された複数の踏板と、前記踏板の幅方向両側に設けられた欄干と、前記欄干上を前記踏板と同期して移動する移動手摺と、前記踏板を駆動及び制動する一対の駆動スプロケットとを備えた乗客コンベアにおいて、  第一軸受で回転可能に軸支された電動機回転部を有する電動機ユニットと、第二軸受で回転可能に軸支されたブレーキディスクを有するブレーキディスクユニットと、駆動スプロケット軸と前記駆動スプロケット軸の両端部に配設した前記一対の駆動スプロケットとをユニット化した駆動スプロケットユニットとを備え、  前記電動機ユニット、前記ブレーキディスクユニット及び前記駆動スプロケットユニットを同心状に配置し、前記電動機ユニットと前記ブレーキディスクユニットとを前記駆動スプロケットユニットにより着脱可能に連結したことを特徴とする乗客コンベア。
【請求項２】
請求項１において、  前記駆動スプロケットユニットと前記電動機ユニットとの連結部は、前記駆動スプロケット側の連結部と前記電動機ユニット側の連結部とのうちいずれか一方の連結部が端部に面取りを有する凹形状部で構成され、他方の連結部は端部に面取りを有する凸形状部で構成され、前記凹形状部と前記凸形状部とを嵌め合わせて連結されることを特徴とする乗客コンベア。
【請求項３】
請求項１において、  前記駆動スプロケットユニットと前記ブレーキディスクユニットとの連結部は、前記駆動スプロケットユニット側の連結部と前記ブレーキディスクユニット側の連結部とのうちいずれか一方の連結部が端部に面取りを有する凹形状部で構成され、他方の連結部は端部に面取りを有する凸形状部で構成され、前記凹形状部と前記凸形状部とを嵌め合わせて連結されることを特徴とする乗客コンベア。
【請求項４】
請求項２において、  前記駆動スプロケットユニットと前記電動機ユニットとの連結部における前記凸形状部の外径と前記凹形状部の内径との間に生じる隙間が、前記駆動スプロケットユニットと前記電動機ユニットとの同心度の許容差より小さいことを特徴とする乗客コンベア。
【請求項５】
請求項３において、  前記駆動スプロケットユニットと前記ブレーキディスクユニットとの連結部における前記凸形状部の外径と前記凹形状部の内径との間に生じる隙間が、前記駆動スプロケットユニットと前記ブレーキディスクユニットの同心度の許容差より小さいことを特徴とする乗客コンベア。
【請求項６】
請求項１において、  前記電動機ユニットの前記回転部は、前記第一軸受の外輪に固定されると共に、前記第一軸受に対して前記駆動スプロケット側の部分に空間部が形成されており、  前記駆動スプロケットユニットを前記電動機ユニットから分離した状態で、前記第一軸受を観察可能に構成したことを特徴とする乗客コンベア。
【請求項７】
請求項１において、  前記ブレーキディスクユニットは、前記第二軸受で回転可能に軸支された中心軸と、前記中心軸に固定され前記駆動スプロケットに連結される連結ボスとを有し、  前記ブレーキディスクは前記連結ボスに着脱可能にかつ同心状に固定されることを特徴とする乗客コンベア。
【発明の詳細な説明】
【技術分野】
【０００１】  本発明はエスカレータや電動道路等の乗客コンベアに係り、特に電動機と駆動スプロケットが同軸上に設置される駆動装置を備えた乗客コンベアに関する。
【背景技術】
【０００２】  乗客コンベアであるエスカレータや電動道路等は、乗降口間を移動する無端状に連結されたステップ、或いはパレット(以下、代表して踏板という)と、この踏板の両側に設けられた欄干と、この欄干上を踏板と同期して移動する移動手摺とによって構成され、一方の乗降口から他方の乗降口までの間を移動する踏板で乗客を搬送するものである。【０００３】  一般的に踏板は金属製のチェーンで連結され、チェーンは乗客コンベア上部の踏板反転装置に備えられた駆動スプロケットに巻き掛けられている。【０００４】  駆動スプロケットに電動機からの動力を伝達する機構として、特表２０００−５０５４０６号公報（特許文献１）に記載されたものが知られている。特許文献１には、ステップスプロケット軸の一方の端部に固定された第一ステップスプロケットと、ステップスプロケット軸の他方の端部に固定された第二ステップスプロケットと、第二ステップスプロケットに取り付けられた回転子部品とを備え、ステップスプロケット軸の一方の端部が乗客コンベアの一方の側の支持構造物上に軸受によって据え付けられ、ステップスプロケット軸の他方の端部が軸受によって駆動モータの固定子に据え付けられた乗客コンベアの駆動装置が記載されている（第４図）。この駆動装置では、固定子は乗客コンベアの他方の側の支持構造物上に固定されており、ステップスプロケット軸の両端部は支持構造物に据え付けられた軸受、或いは支持構造物に固定された固定子に据え付けられた軸受によって軸支されている。【０００５】  また特許文献１には、回転子が取り付けられた回転子円盤と、固定子が取り付けられた固定子円盤と、回転子円盤の外周を半径方向に延長した環状ブレーキディスクとを備えた駆動モータが記載されている（第９図）。【０００６】  特許文献１の駆動装置では、ブレーキディスクを取り付けた電動機とスプロケットを単一の軸で直結している。
【先行技術文献】
【特許文献】
【０００７】
【特許文献１】特表２０００−５０５４０６号公報
【発明の概要】
【発明が解決しようとする課題】
【０００８】  ところで、乗客コベンアは長期的な使用における保全作業の中で、劣化、故障、リニューアル等の理由によって部品交換を実施する場合がある。例えば、回転部に使用される軸受は、経年的な摩耗やはく離によって、異常音が発生する場合や、回転不良となる場合があるため、交換が必要となる。【０００９】  交換作業を行う場合、乗客コンベア内の限られた空間内で部品交換を実施する、もしくは乗客コンベアの限られた開口部から交換対象の装置を取り出して乗客コンベア外で部品交換を実施する。しかし、大型の装置は着脱が容易ではなく、装置の着脱に相当の作業時間を要するといった課題があった。特に特許文献１で示されるような、電動機とステップスプロケット（以下、駆動スプロケットという）とを単一のスッテプスプロケット軸（以下、軸という）で直結する構造においては、軸受が電動機の内部に備えられており、軸受を交換する場合には軸に直結され一体となった電動機と駆動スプロケットとを取外す必要がある。しかし、軸は乗客コンベアのフレーム幅にほぼ等しい長さで、フレームの幅方向に配設されているため、軸や、この軸と一体に構成された電動機及び駆動スプロケットを取り外すことは容易ではない。このため、電動機と駆動スプロケットとを単一の軸で直結する構造では、軸受の交換作業は容易ではない。【００１０】  本発明の目的は、部品交換の作業性を向上させることができる乗客コンベアを提供することにある。
【課題を解決するための手段】
【００１１】  上記目的を達成するために、本発明の乗客コンベアは、一方の乗降口と他方の乗降口との間を移動する無端状に連結された複数の踏板と、前記踏板の幅方向両側に設けられた欄干と、前記欄干上を前記踏板と同期して移動する移動手摺と、前記踏板を駆動及び制動する一対の駆動スプロケットとを備えた乗客コンベアにおいて、第一軸受で回転可能に軸支された電動機回転部を有する電動機ユニットと、第二軸受で回転可能に軸支されたブレーキディスクを有するブレーキディスクユニットと、駆動スプロケット軸と前記駆動スプロケット軸の両端部に配設した前記一対の駆動スプロケットとをユニット化した駆動スプロケットユニットとを備え、前記電動機ユニット、前記ブレーキディスクユニット及び前記駆動スプロケットユニットを同心状に配置し、前記電動機ユニットと前記ブレーキディスクユニットとを前記駆動スプロケットユニットにより着脱可能に連結する。
【発明の効果】
【００１２】  本発明によれば、スプロケットユニットを単独で取外すことにより、電動機ユニット及びブレーキユニットへのアクセスが容易となり、軸受等の部品交換の作業性を向上させることが出来る。【００１３】  上記した以外の課題、構成及び効果は、以下の実施形態の説明により明らかにされる。
【図面の簡単な説明】
【００１４】
【図１】本発明が適用される乗客コンベア装置の一実施例に係る構成を示す構成図である。
【図２】乗客コンベア装置の上部水平枠部分の上面図である。
【図３】本発明の実施例に係る駆動装置の構造を示す上面図である。
【図４】本発明の実施例に係る駆動スプロケットユニットの側面図である。
【図５】本発明の実施例に係る、スプロケットユニットと電動機ユニットとの連結部を示す上面図である。
【図６】本発明の実施例に係る、スプロケットユニットとブレーキディスクユニットとの連結部を示す上面図である。
【図７】本発明の実施例に係る電動機ユニットの軸受構造の変更例を示す上面図である。
【図８】本発明の実施例に係るブレーキディスクユニットの変更例を示す上面図である。
【発明を実施するための形態】
【００１５】  本発明の実施形態について図面を用いて詳細に説明するが、本発明は以下の実施形態に限定されることなく、本発明の技術的な概念の中で種々の変形例や応用例をもその範囲に含むものである。
【００１６】  まず、図１及び図２を参照して、乗客コンベアの構成について説明する。図１は、本発明が適用される乗客コンベア装置の一実施例に係る構成を示す構成図である。図２は、乗客コンベア装置の上部水平枠２ａ部分の上面図である。なお、ここでは、乗客コンベアの一実施例としてエスカレータについて説明する。本発明は、エスカレータの他に、踏板が隣接する踏板との間に段差が設けられない状態で移動する電動道路にも適用可能である。踏板は、エスカレータではステップと呼ばれ、電動道路ではパレットと呼ばれる。以下、両者を代表して踏板と呼んで説明する。また、踏板の移動方向に垂直でかつ鉛直方向に垂直な方向を、踏板及び乗客コンベアの幅方向と定義する。
【００１７】  図１に示すように、乗客コンベアの一種であるエスカレータ１には上階と下階に架け渡された枠体（フレーム）２が設けられており、この枠体２は上部水平枠２ａ、中間枠２ｂ及び下部水平枠２ｃより構成されている。枠体２の内部には無端状に連結された複数の踏板６が移動可能に設けられている。踏板６は、一方の乗降口と他方の乗降口との間を移動する。また、踏板６の左右両側に移動手摺９を支持する欄干７が枠体２から立設されている。欄干７の下部にはスカートガード８が設けられている。
【００１８】  踏板６を無端状に連結する駆動チェーン５は、駆動スプロケット３及び従動スプロケット４に巻き掛けられており、踏板６は駆動スプロケット３及び従動スプロケット４において反転して循環する。駆動スプロケット３は、踏板６を駆動及び制動する。
【００１９】  本発明の実施形態について図３及び図４に基づき説明する。図３は、本発明の実施例に係る駆動装置３５の構造を示す上面図である。図４は、本発明の実施例に係る駆動スプロケットユニット１０の側面図である。なお、図３は上部水平枠２ａの上面図に相当する。
【００２０】  上部水平枠２ａ内の機械室３４には、駆動スプロケット３を含むスプロケットユニット１０、電動機ユニット１１及びブレーキディスクユニット１２を備えた駆動装置３５が据え付けられている。
【００２１】  スプロケットユニット１０はスプロケット軸１３、駆動スプロケット３ａ及び駆動スプロケット３ｂを備え、これらの部品がユニット化されている。一対の駆動スプロケット３ａ，３ｂは、スプロケット軸１３の両端部に設けられている。左右の駆動スプロケット３ａ及び駆動スプロケット３ｂはそれぞれの中心が一つの軸線上に位置するようにスプロケット軸１３により同心状に連結されている。このときスプロケット軸１３は、軸中心が駆動スプロケット３ａの中心及び駆動スプロケット３ｂの中心と共に、一つの軸線上に配置されるように連結されている。
【００２２】  このような構成により、本実施例のスプロケットユニット１０は、電動機ユニット１１の電動機軸受１６とブレーキディスクユニット１２のブレーキ軸受１９とにより、回転可能に軸支される。すなわち、スプロケットユニット１０のスプロケット軸１３は、電動機ユニット１１及びブレーキディスクユニット１２を介して、電動機軸受１６及びブレーキ軸受１９により回転可能に軸支される。
【００２３】  電動機ユニット１１は上部水平枠２ａに対して固定された電動機固定部１４と、電動機軸受１６と、電動機軸受１６で回転可能に軸支された電動機回転部１５とを備えている。ブレーキディスクユニット１２は、ブレーキ軸１８と、ブレーキ軸受１９と、ブレーキ軸受１９で回転可能に軸支されたブレーキディスク１７とを備えている。駆動装置３５には、ブレーキディスク１７と接触することによって駆動スプロケット３を制動するブレーキ２０が備えられている。
【００２４】  駆動スプロケット３ａ，３ｂには複数の貫通孔２１が設けられている。電動機回転部１５には、駆動スプロケット３の貫通孔２１と対応する位置に、めねじ２２が設けられている。またブレーキディスク１７には、駆動スプロケット３の貫通孔２１と対応する位置にめねじ２３が設けられている。
【００２５】  駆動スプロケット３ａの貫通孔２１にボルト２４を挿通させ、ボルト２４をめねじ２２に螺合することで、駆動スプロケット３ａと電動機回転部１５とを連結する。また、駆動スプロケット３ｂの貫通孔２１にボルト２４を挿通させ、ボルト２４をめねじ２３に螺合することで、駆動スプロケット３ｂとブレーキディスク１７とを連結する。このとき、駆動スプロケット３ａと電動機回転部１５とは、それぞれの中心が一つの軸線上に位置するように同心状に締結される。駆動スプロケット３ｂとブレーキディスク１７とはそれぞれの中心が一つの軸線上に位置するように同心状に締結される。これにより、スプロケットユニット１０、電動機ユニット１１及びブレーキディスクユニット１２を同心状にかつ着脱可能に連結することができる。
【００２６】  スプロケットユニット１０、電動機ユニット１１及びブレーキディスクユニット１２を分割する場合には、ボルト２４を取外すことで駆動スプロケット３ａと電動機回転部１５との締結、及び駆動スプロケット３ｂとブレーキディスク１７との締結を解けばよい。電動機ユニット１１及びブレーキディスクユニット１２から分離されたスプロケットユニット１０は、駆動スプロケット３ａと駆動スプロケット３ｂとが駆動装置３５に組み付けられた状態と同じ間隔（幅寸法）Ｌ２を有している。この幅寸法Ｌ２は各ユニット１０，１１，１２の中で最も大きな部品寸法になる。スプロケットユニット１０の幅寸法Ｌ２は踏板６の幅寸法以下の大きさであり、踏板６を取り外した後の開口部から容易に出し入れできる。
【００２７】  スプロケットユニット１０、電動機ユニット１１及びブレーキディスクユニット１２を分割することで、スプロケットユニット１０のみをエスカレータ１から取り外すことができ、電動機ユニット１１及びブレーキディスクユニット１２に容易にアクセスすることができる。これにより、軸受等の部品交換等の保全作業性を向上することができる。
【００２８】  なお、スプロケットユニット１０を取り外すときに、ブレーキディスク１７の重量によりブレーキ軸受１９の許容調心角を超えてブレーキ軸１８が傾く可能性がある。そこで、スプロケットユニット１０を取り外す場合には、ブレーキ２０を動作させてブレーキユニット１２を保持するか、ワイヤ等でブレーキユニット１２を固定することが望ましい。
【００２９】  次に、図５及び図６を用いて、スプロケットユニット１０、電動機ユニット１１及びブレーキディスクユニット１２を連結する連結構造を詳細に説明する。図５は、本発明の実施例に係る、スプロケットユニット１０と電動機ユニット１１との連結部を示す上面図である。図６は、本発明の実施例に係る、スプロケットユニット１０とブレーキディスクユニット１２との連結部を示す上面図である。
【００３０】  電動機ユニット１１の電動機回転部１５は、中心軸１５ａを備え、中心軸１５ａを回転軸として回転可能に構成されている。中心軸１５ａは電動機回転部１５に固定されている。電動機回転部１５は、中心軸１５ａが電動機軸受１６によって軸支され、電動機固定部１４に対して回転可能に構成されている。
【００３１】  ブレーキディスクユニット１２のブレーキディスク１７は、中心軸１７ａを備え、中心軸１７ａを回転軸として回転可能に構成されている。中心軸１７ａはブレーキディスク１７に固定されている。ブレーキディスク１７は、中心軸１７ａがブレーキ軸受１９によって軸支され、ブレーキ軸受１９が固定された上部水平枠２ａに対して回転可能に構成されている。
【００３２】  本実施例では、駆動スプロケット３ａ，３ｂに凹部（凹形状部）２５及び面取り２６を設けている。電動機回転部１５には凸部（凸形状部）２７及び面取り２８を設けている。ブレーキディスク１７には凸部（凸形状部）２９及び面取り３０を設けている。駆動スプロケット３ａの凹部２５と電動機回転部１５の凸部２７との間に生じる隙間の上限値を、スプロケットユニット１０と電動機ユニット１１との間の同心度の許容差の上限とする。また、駆動スプロケット３ｂの凹部２５とブレーキディスク１７の凸部２９との間に生じる隙間の上限値を、スプロケットユニット１０とブレーキディスクユニット１２との間の同心度の許容差の上限とする。これにより、ボルト２４による各ユニット１０，１１，１２の締結時において同心に合わせる調整作業を不要にできる。
【００３３】  本実施例では、スプロケットユニット１０、電動機ユニット１１及びブレーキディスクユニット１２を容易に同心状に固定できる構造を有していることにより、スプロケットユニット１０、電動機ユニット１１及びブレーキディスクユニット１２の組み付け作業が容易になる。これにより、本実施例は軸受等の部品交換等の保全作業性を向上することができる。
【００３４】  なお、図５及び図６の構造とは反対に、駆動スプロケット３ａ，３ｂに凸部、電動機回転部１５及びブレーキディスク１７に凹部を備えた構造においても、同様の効果が得られる。凸部と凹部とは、駆動スプロケット３ａ，３ｂと電動機回転部１５又はブレーキディスク１７との間で、適宜入れ替えてもよい。
【００３５】  すなわち、駆動スプロケットユニット１０と電動機ユニット１１との連結部は、駆動スプロケット３ａ側の連結部と電動機ユニット１１側の連結部とのうちいずれか一方の連結部が端部に面取り２６を有する凹部２５で構成され、他方の連結部は端部に面取り２８を有する凸部２７で構成され、凹部２５と凸部２７とを嵌め合わせて、駆動スプロケットユニット１０と電動機ユニット１１とを連結すればよい。
【００３６】  また、駆動スプロケットユニット１０とブレーキディスクユニット１２との連結部は、駆動スプロケットユニット１０側の連結部とブレーキディスクユニット１２側の連結部とのうちいずれか一方の連結部が端部に面取り２６を有する凹部２５で構成され、他方の連結部は端部に面取り３０を有する凸部２９で構成され、凹部２５と凸部３９とを嵌め合わせて、駆動スプロケットユニット１０とブレーキディスクユニット１２とを連結すればよい。
【００３７】  次に、図７を用いて、電動機軸受１６の構造を変更した例を説明する。図７は、本発明の実施例に係る電動機ユニット１１の軸受１６の構造の変更例を示す上面図である。なお、上述した実施例と同じ構成には同じ符号をつけ、説明を省略する。
【００３８】  本実施例では、電動機軸受１６の外輪１６aと電動機回転部１５とを固定する。さらに電動機回転部１５は、電動機軸受１６に対して駆動スプロケット３ａ側の部分に空間部１５ａを有する。空間部１５ａは、電動機回転部１５の駆動スプロケット３ａと対向する端面に開口を形成する。そして電動機回転部１５は、空間部１５ａの開口を覆う軸受カバー３１を備える。
【００３９】  電動機軸受１６の内輪１６ｂは、電動機固定部１４に設けられた中心軸１５ｃに支持されている。中心軸１５ｃは固定軸である。なお、電動機軸受１６としては、深溝玉軸受、円錐コロ軸受又は自動調心コロ軸受等を単独で、或いは複数の軸受を組み合わせて用いることができる。また、複数の軸受を重ねて配置してもよい。
【００４０】  本実施例によれば、スプロケットユニット１０及び軸受カバー３１を取外すことで、摩耗、はく離及びグリースの変色等といった電動機軸受１６の劣化状態を直接観察することができ、電動機軸受１６の故障防止に役立てることができる。
【００４１】  次に、図８を用いて、ブレーキディスク１７の構造を変更した例を説明する。図８は、本発明の実施例に係るブレーキディスクユニット１２の変更例を示す上面図である。なお、上述した実施例と同じ構成には同じ符号をつけ、説明を省略する。
【００４２】  ブレーキディスクユニット１２は、ブレーキディスク１７と駆動スプロケット３ｂとの間にブレーキディスク連結ボス３２を備える。すなわち、上述した実施例では、図６に示すように、ブレーキディスク１７と一体化されていた連結ボス部１７ｂが、ブレーキディスク１７とは別部材として設けられている。
【００４３】  また、ブレーキディスク１７は中心軸１７ａとは別部材として構成される。中心軸１７ａは連結ボス３２に固定されている。中心軸１７ａは連結ボス３２と一体に形成してもよいし、連結ボス３２とは別部材として形成した中心軸１７ａを連結ボス３２に固定してもよい。ブレーキディスクユニット１２が駆動装置３５に据え付けられた状態では、ブレーキディスク１７は中心軸１７ａと一体で回転する。
【００４４】  以上説明したように、本変更例のブレーキディスクユニット１２は、ブレーキ軸受１９で回転可能に軸支された中心軸１７ａと、中心軸１７ａに固定され駆動スプロケット３ｂに連結される連結ボス３２とを有する。ブレーキディスク１７は連結ボス３２に着脱可能にかつ同心状に固定される。
【００４５】  本変更例では、ブレーキディスク１７とブレーキディスク連結ボス３２とを締結するボルト３３を取り外すことで、ブレーキディスク１７のみをブレーキユニット１２から取り外すことができる。ブレーキディスク１７の取り外しを可能にするために、ブレーキディスク１７の中心部にはブレーキ軸受１９の外径Ｄ１９よりも大きい直径Ｄ１７を有する貫通孔１７ｃが形成されている。これにより、中心軸１７ａにブレーキ軸受１９を取り付けたまま、ブレーキディスク１７を中心軸１７ａ及び連結ボス３２から分離することができる。本変更例では、ブレーキディスク１７が損傷した場合等において、ブレーキディスク１７のみを交換でき、交換作業性を向上させることができる。
【００４６】  本発明に係る実施例及び変更例では、図２におけるスカート間の幅Ｌ１より、スプロケットユニット１０の全幅Ｌ２（図３参照）を小さくすることで、踏板６を取り外すことにより、左右のスカートガード７の間を通してスプロケットユニット１０を取り外すことが可能となる。
【００４７】  一般的に乗客コンベアの枠（フレーム）２は踏板６を中心に左右同等の幅を有する。電動機１４，１５とブレーキディスク１７とを一体とする構造の場合、電動機１４，１５側のフレーム幅が増加する。その結果として、電動機１４，１５が配置される側とは反対側のフレーム幅も増加してしまう。本実施例では、電動機１４，１５とブレーキディスク１７とは左右の駆動スプロケット３ａ及び駆動スプロケット３ｂに分散して配置しているので、片側のフレーム幅の増加分を小さくすることができる。これにより、全体でのフレーム幅の増加を小さくすることができる。そして、本実施例では機械室を小型化することができる。
【００４８】  尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【符号の説明】
【００４９】  １…エスカレータ、２…枠体、２ａ…上部水平枠、２ｂ…中間枠、２ｃ…下部水平枠、３…駆動スプロケット、４…従動スプロケット、５…踏板チェーン、６…踏板、７…欄干パネル、８…スカートガード、９…移動手摺、１０…スプロケットユニット、１１…電動機ユニット、１２…ブレーキディスクユニット、１３…スプロケット軸、１４…電動機固定部、１５…電動機回転部、１５ａ…中心軸、１６…電動機軸受、１６ａ…外輪、１６ｂ…内輪、１７…ブレーキディスク、１７ａ…中心軸、１７ｃ…貫通孔、１８…ブレーキ軸、１９…ブレーキ軸受、２０…ブレーキ、２１…孔、２２…めねじ、２３…めねじ、２４…ボルト、２５…凹部、２６…面取り部、２７…凹部、２８…面取り部、２９…凹部、３０…面取り部、３１…軸受カバー、３２…ブレーキディスク連結ボス、３４…機械室、３５…駆動装置Ｌ１…スカート間の幅、Ｌ２…スプロケットユニットの全幅。
【図１】
2017033271.tif 000003
【図２】
2017033271.tif 000004
【図３】
2017033271.tif 000005
【図４】
2017033271.tif 000006
【図５】
2017033271.tif 000007
【図６】
2017033271.tif 000008
【図７】
2017033271.tif 000009
【図８】
2017033271.tif 000010
【国際調査報告】
2017033271.tif 000011
2017033271.tif 000012
2017033271.tif 000013
2017033271.tif 000014